(57)【特許請求の範囲】
【請求項１】
カフの内部空間に空気を送るための送気球と、表示部と、前記内部空間の圧力を検出する圧力センサと、前記内部空間を減圧するためのバルブとを有する血圧計であって、
前記圧力センサからの出力に基づいて前記内部空間の圧力を演算し前記表示部に表示させる制御部を備え、
前記制御部は、前記送気球の操作によって前記内部空間の圧力を上昇させる期間において、前記内部空間の圧力変動におけるボトムを検出し、前記ボトムの検出に応じて、前記ボトムの圧力の継続した表示が開始されるように前記表示部の表示を制御する、
ことを特徴とする血圧計。
【請求項２】
前記制御部は、前記ボトムの圧力が検出される度に、最新の前記ボトムの圧力が表示されるように前記表示部の表示を更新する、
ことを特徴とする請求項１に記載の血圧計。
【請求項３】
前記制御部は、前記内部空間の圧力が所定値より大きくなったら前記ボトムの圧力の検出を開始し、前記送気球の操作が停止されたと判断されたら前記ボトムの圧力の検出を停止する、
ことを特徴とする請求項１又は２に記載の血圧計。
【請求項４】
前記制御部は、前記内部空間の圧力を保持するリングバッファを有し、前記内部空間の圧力の降下が検出された後に前記内部空間の圧力の上昇が検出されたことに応じて、前記リングバッファに保持された圧力における最低値を前記ボトムの圧力とする、
ことを特徴とする請求項１乃至３のいずれか１項に記載の血圧計。
【請求項５】
カフの内部空間に空気を送るための送気球と、表示部と、前記内部空間の圧力を検出する圧力センサと、前記内部空間を減圧するためのバルブとを有する血圧計であって、
前記圧力センサからの出力に基づいて前記内部空間の圧力を演算し前記表示部に表示させる制御部を備え、
前記制御部は、前記送気球の操作によって前記内部空間の圧力を上昇させる期間において、前記内部空間の圧力変動におけるピークの後の最初の変曲点を検出し、前記変曲点の検出に応じて、前記変曲点の圧力の継続した表示が開始されるように前記表示部の表示を制御する、
ことを特徴とする血圧計。
【請求項６】
前記制御部は、前記変曲点が検出される度に前記表示部による前記変曲点の圧力の継続した表示を開始し、前記内部空間の圧力が前記変曲点の圧力を下回った後に前記変曲点の圧力を上回ったことに応じて前記内部空間の圧力をリアルタイムで前記表示部に表示させる、
ことを特徴とする請求項５に記載の血圧計。
【請求項７】
前記制御部は、前記内部空間の圧力が所定値より大きくなるまでは、前記内部空間の圧力をリアルタイムで前記表示部に表示させる、
ことを特徴とする請求項１乃至６のいずれか１項に記載の血圧計。
【請求項８】
前記制御部は、前記送気球の操作が停止されたと判断された後は、前記内部空間の圧力をリアルタイムで前記表示部に表示させる、
ことを特徴とする請求項１乃至７のいずれか１項に記載の血圧計。
【発明の詳細な説明】
【技術分野】
【０００１】
本発明は、送気球を有する血圧計に関する。
【背景技術】
【０００２】
送気球を使ってカフに空気を送ることによってカフを膨らませ、これによって腕等を十分な圧力で圧迫し、その後、圧力を低下させながら血圧を測定する血圧計がある。送気球を握る力を強くしたり緩めたりする動作を繰り返すことによってカフの内部空間に空気を送り、該内部空間の圧力を上昇させることができる。カフの内部空間の圧力は、腕等をカフが圧迫する力に相関を有する。カフの内部空間の圧力は、一般的には、より簡単に、カフの圧力として表現されうるが、この明細書では、厳密な表現として、カフの内部空間の圧力という表現が用いられる。
【０００３】
送気球を握って潰すと、カフに空気が送られ、送気球を握る力を緩めると、外部から送気球の中に空気が吸引される。このような動作のために、送気球を操作しながらカフの内部空間の圧力を上昇させる過程では、その圧力は、上昇と小さな下降とを繰り返しながら上昇してゆく。
【０００４】
特許文献１には、圧力立ち上がり点と次の圧力立ち上がり点とを結ぶ直線を求め、圧力センサによる検出圧力Ｐｎがこの直線で与えられる圧力Ｐｃｎを超えているときはＰｃｎを表示し、超えていないときはＰｎを表示する血圧計が記載されている。
【先行技術文献】
【特許文献】
【０００５】
【特許文献１】特開２００２−３６０５２４号公報
【発明の概要】
【発明が解決しようとする課題】
【０００６】
特許文献１に記載された血圧計では、直近の２つの圧力立ち上がり点で規定される直線に基づいて、表示すべき圧力が決定されるので、送気球（ゴム球）を操作するペースが途中で変化すると、表示される圧力と実際の圧力との差が大きくなりうる。例えば、送気球を操作するペースが急に遅くなると、ＰｎがＰｃｎを超えなくなり、Ｐｎがそのまま表示されうる。Ｐｎがそのまま表示されると、表示される圧力は、上昇したり下降したりを繰り返す。医師または看護師等のユーザは、被験者の想定される最高血圧値よりも若干高い圧力までカフの内部空間の圧力を高める必要があるが、表示される圧力が上昇したり下降したりを繰り返していたのでは、送気球の操作をいつ止めたら良いのかを正しく判断することが難しい。
【０００７】
本発明は、送気球の操作を停止すべきタイミングを判断しやすい血圧計を提供することを目的とする。
【課題を解決するための手段】
【０００８】
本発明の１つの側面は、カフの内部空間に空気を送るための送気球と、表示部と、前記内部空間の圧力を検出する圧力センサと、前記内部空間を減圧するためのバルブとを有する血圧計に係り、前記血圧計は、前記圧力センサからの出力に基づいて前記内部空間の圧力を演算し前記表示部に表示させる制御部を備え、前記制御部は、前記送気球の操作によって前記内部空間の圧力を上昇させる期間において、前記内部空間の圧力変動におけるボトムを検出し、前記ボトムの検出に応じて、前記ボトムの圧力の継続した表示が開始されるように前記表示部の表示を制御する。
【発明の効果】
【０００９】
本発明によれば、送気球の操作を停止すべきタイミングを判断しやすい血圧計が提供される。
【図面の簡単な説明】
【００１０】
【図１】本発明の１つの実施形態の血圧計の構成を示す図。
【図２】血圧計によって被験者の血圧を計測する際のカフの内部空間の圧力を例示する図。
【図３】本発明の第１実施形態におけるボトム圧力の検出と表示の更新を例示的に説明する図。
【図４】本発明の第１実施形態におけるボトム圧力の検出方法を例示する図。
【図５】本発明の第１実施形態の血圧計の動作を例示する図。
【図６】本発明の第２実施形態における変曲点圧力の検出および表示を含む処理を例示的に示す図。
【図７】本発明の第２実施形態におけるピークの検出方法を例示する図。
【図８】本発明の第２実施形態におけるピークの後の最初の変曲点の検出方法を例示する図。
【図９】本発明の第２実施形態の血圧計の動作を例示する図。
【発明を実施するための形態】
【００１１】
以下、添付図面を参照しながら本発明をその例示的な実施形態を通して説明する。
【００１２】
図１には、本発明の１つの実施形態の血圧計１の構成が示されている。血圧計１は、チューブ２０を介してカフ１０の内部空間１２と連通する流路３１０を有する本体３０と、チューブ２０および流路３１０を介してカフ１０の内部空間１２に空気を送ることができるように本体３０に接続される送気球４０とを有する。血圧計１は、その他、圧力センサ３２０、バルブ３３０、操作部３４０、制御部３５０、表示部３６０およびブザー３７０を備えうる。圧力センサ３２０は、カフ１０の内部空間１２の圧力を検出することができるように流路３１０に接続されている。バルブ３３０は、カフ１０の内部空間１２を減圧することができるように流路３１０に接続されている。操作部３４０は、例えば、電源のオン・オフ、モードの設定などのためのスイッチおよびボタン等を含む。表示部３６０は、例えば、血圧計１の状態や、カフ１０の内部空間１２の圧力や、測定した血圧などを表示する。ブザー３７０は、エラー等を報知するために使用される。
【００１３】
制御部３５０は、圧力センサ３２０からの出力に基づいてカフ１０の内部空間１２の圧力を演算し、それを表示部３６０に表示させる。ここで、制御部３５０は、送気球４０の操作によってカフ１０の内部空間１２の圧力を上昇させる期間において、カフ１０の内部空間１２の圧力変動における特徴点を検出し、特徴点の検出に応じて、特徴点の圧力の継続した表示が開始されるように表示部３６０の表示を制御する。
【００１４】
本発明の第１実施形態では、特徴点は、カフ１０の内部空間１２の圧力変動におけるボトムである。本発明の第２実施形態では、特徴点は、カフ１０の内部空間１２の圧力変動におけるピークの後の最初の変曲点である。
【００１５】
以下では、まず、本発明の第１実施形態を説明する。第１実施形態では、制御部３５０は、送気球４０の操作によってカフ１０の内部空間１２の圧力を上昇させる期間において、カフ１０の内部空間１２の圧力変動におけるボトムの圧力（以下、「ボトム圧力」）を特徴点の圧力として検出し、該ボトム圧力の検出に応じて、該ボトム圧力の継続した表示が開始されるように表示部３６０の表示を制御する。本発明の第１実施形態では、制御部３５０は、例えば、ボトム圧力が検出される度に、最新のボトム圧力（即ち、新たに検出されたボトム圧力）が表示されるように表示部３６０の表示を更新する。
【００１６】
図２には、血圧計１によって被験者の血圧を計測する際のカフ１０の内部空間１２の圧力が例示的に示されている。図２において、横軸は時間であり、縦軸は圧力センサ３２０によって検出されるカフ１０の内部空間１２の圧力である。操作部３４０の電源スイッチが操作されることによって電源がオンされ、その後、送気球４０が操作（強く握る動作と握りを緩める動作との繰り返し）されてカフ１０の内部空間１２の圧力が上昇し、所定値ＴＨを超えたと判断される時刻ｔ１０において、ボトム圧力の検出および表示の処理が開始される。この処理は、送気球４０の操作が停止されたと判断される時刻ｔ１１まで継続される。つまり、時刻ｔ１０から時刻ｔ１１までの期間ＴＰにおいて、ボトム圧力の検出および表示の処理が実行される。そして、送気球４０の操作が停止されたと判断されると、血圧の測定（典型的には、最高血圧値および最低血圧値の検出）が開始される。血圧の測定は、例えば、圧力センサ３２０によって検出される圧力の変化に基づいてなされる。
【００１７】
図３を参照しながら、期間ＴＰにおけるボトム圧力の検出および表示の更新について説明する。図３において、横軸は時間であり、縦軸は圧力センサ３２０によって検出されるカフ１０の内部空間１２の圧力（より具体的には、圧力センサ３２０の出力に基づいて制御部３５０が演算によって求めた圧力）である。なお、図３において、内部空間１２の圧力は曲線で示されているが、該圧力は、典型的には離散値である。制御部３５０は、所定のサンプリング間隔で、圧力センサ３２０からの出力（信号）をサンプリングし、サンプリングした出力に基づいてカフ１０の内部空間１２の圧力を演算する。より具体的な例を挙げると、制御部３５０は、例えば、サンプリングした出力に変換係数を乗じることによって、あるいは、ルックアップテーブルを参照することによって、該出力に対応する圧力を得る。
【００１８】
このようにして得られるカフ１０の内部空間１２の圧力の数値列は、圧力変動を示している。制御部３５０は、この圧力変動におけるボトム圧力を特徴点の圧力として検出し、ボトム圧力が検出される度に、最新のボトム圧力（即ち、新たに検出されたボトム圧力）が表示されるように表示部３６０の表示を更新する。即ち、ボトム圧力が検出されると、そのボトム圧力が表示されるように表示部３６０に表示されている圧力が更新され、その圧力の表示は、次にボトム圧力が検出されるまで維持される。
【００１９】
図４を参照しながらボトム圧力の検出方法を例示的に説明する。図４において、横軸は時間であり、縦軸は圧力センサ３２０によって検出されるカフ１０の内部空間１２の圧力（より具体的には、圧力センサ３２０の出力に基づいて制御部３５０が演算によって求めた圧力）である。図４中の○は、圧力センサ３２０の出力をサンプリングし、それに基づいて求めた圧力を示し、曲線は、便宜的に示されたものである。
【００２０】
図４に示された例では、制御部３５０は、最新の圧力Ｐｃと前回の圧力Ｐｐとの差分Ｐｃ−Ｐｐが２回連続で閾値ＴＨ１（負の値）を下回ったことを判断基準として、カフ１０の内部空間１２の圧力の降下が起こったことを検出する。図４に示された例では、時刻ｔ１において、カフ１０の内部空間１２の圧力の降下が起こったことが検出される。時刻ｔ１の後、５回分の圧力を保持しうるリングバッファに対して、圧力センサ３２０の出力に基づいて圧力が求められる度に当該圧力が書き込まれる。
【００２１】
その後、制御部３５０は、最新の圧力Ｐｃと前回の圧力Ｐｐとの差分Ｐｃ−Ｐｐが３回連続して閾値ＴＨ２（正の値）を上回ったことを判断基準として、カフ１０の内部空間１２の圧力の上昇が起こったことを検出する。図４に示された例では、時刻ｔ２において差分Ｐｃ−Ｐｐが閾値ＴＨ２を最初に上回っている。そして、時刻ｔ３までで、３回連続して差分Ｐｃ−Ｐｐが閾値ＴＨ２を上回っている。つまり、時刻ｔ３において、カフ１０の内部空間１２の圧力の上昇が起こったことが検出される。これに応じて、制御部３５０は、リングバッファに保持された５回分の圧力のうちの最低値をボトム圧力Ｐｂとして決定し、そのボトム圧力Ｐｂが表示部３６０に表示されるように表示部３６０の表示を更新させる。なお、上記の判断基準やリングバッファの段数は、適宜変更可能であるし、ボトム圧力の検出方法も適宜変更可能である。
【００２２】
次に、図５を参照しながら本発明の第１実施形態の血圧計１の動作を説明する。ステップＳ５０１において操作部３４０の電源スイッチが操作されることによって電源がオンされ、血圧計１が起動される。次いで、ステップＳ５０２において、制御部３５０は、初期圧力値（例えば、０ｍｍＨｇ）を表示部３６０に表示させる。次いで、ステップＳ５０３において、制御部３５０は、カフ１０の内部空間１２の圧力のリアルタイム表示を開始する。つまり、制御部３５０は、圧力センサ３２０の出力に基づいてカフ１０の内部空間１２の圧力を求める度にその圧力が表示される表示部３６０の表示を更新する。
【００２３】
その後、送気球４０が操作（強く握る動作と握りを緩める動作との繰り返し）されカフ１０の内部空間１２の圧力が上昇する。ステップＳ５０４において、制御部３５０は、カフ１０の内部空間１２の圧力の上昇を監視し、該圧力が基準値を超えたことを判断基準として、送気球４０が操作されたことを検出する。
【００２４】
これに応じて、ステップＳ５０５において、制御部３５０は、バルブ３３０を閉じる。その後、ステップＳ５０６において、カフ１０の内部空間１２の圧力が所定値ＴＨより大きくなるのを待ち、カフ１０の内部空間１２の圧力が所定値ＴＨより大きくなったらステップＳ５０７に進み、圧力のリアルタイム表示を中止する。
【００２５】
その後のステップＳ５０８〜Ｓ５１０は、図２における期間ＴＰにおける処理である。ステップＳ５０８では、図３および図４を参照しながら例示的に説明したように、制御部３５０は、ボトム圧力を検出し、ボトム圧力が検出されたら、ステップＳ５０９に進む。ステップＳ５０９では、制御部３５０は、検出されたボトム圧力をカフ１０の内部空間１２の圧力として表示部３６０に表示させる。次いで、ステップＳ５１０において、制御部３５０は、送気球４０の操作（加圧）が停止されたかどうかを判断し、送気球４０の操作が停止されたと判断したら、ステップＳ５１１に進み、そうでなければ、ステップＳ５０８に戻る。つまり、送気球４０の操作が停止されたと判断されるまでボトム圧力の検出が継続される。送気球４０の操作が停止されたことは、カフ１０の内部空間１２の圧力の変動に基づいて判断することができ、例えば、ボトム圧力の検出が所定期間なされなかった場合に送気球４０の操作が停止されたと判断することができる。
【００２６】
ステップＳ５０８〜Ｓ５１０では、以上のようにして、ボトム圧力を検出する度にそのボトム圧力が表示されるように表示部３６０の表示を更新し、その表示を次のボトム圧力が検出されるまで維持することによって、表示部３６０には実際の圧力よりも低めの圧力が表示される。したがって、医師または看護師等のユーザは、送気球の操作を停止すべきタイミングを容易に判断することができる。これにより、圧力が不十分な状態で加圧のための操作が停止されることが防止される。
【００２７】
ステップＳ５１１では、制御部３５０は、カフ１０の内部空間１２の圧力のリアルタイム表示を再開する。つまり、制御部３５０は、圧力センサ３２０の出力に基づいてカフ１０の内部空間１２の圧力を求める度にその圧力が表示される表示部３６０の表示を更新する。
【００２８】
次いで、ステップＳ５１２では、バルブ３３０を開いて、カフ１０の内部空間１２の減圧を開始する。以下は、Ｓ５１３において、血圧が測定され、ステップＳ５１４において、カフ１０の内部空間１２が十分に排気され、ステップＳ５１５において、ステップＳ５１３で測定された血圧が表示部３６０に表示される。
【００２９】
次に、本発明の第２実施形態を説明する。ここで、第１実施形態との相違点を中心として説明する。第２実施形態として言及しない事項は、第１実施形態に従いうる。第２実施形態では、制御部３５０は、送気球４０の操作によってカフ１０の内部空間１２の圧力を上昇させる期間において、カフ１０の内部空間１２の圧力変動におけるピークの後の最初の変曲点の圧力（以下、「変曲点圧力」）を特徴点の圧力として検出し、該変曲点圧力の検出に応じて、該変曲点圧力の継続した表示が開始されるように表示部３６０の表示を制御する。本発明の第２実施形態では、制御部３５０は、例えば、変曲点が検出される度に表示部３６０による変曲点圧力の継続した表示を開始し、カフ１０の内部空間１２の圧力が該変曲点圧力を下回った後に該変曲点圧力を上回ったことに応じて、カフ１０の内部空間１２の圧力をリアルタイムで表示部３６０に表示させる。
【００３０】
本発明の第２実施形態では、図２に示された期間ＴＰにおいて、変曲点圧力の検出および表示を含む処理が実行される。そして、送気球４０の操作が停止されたと判断されると、血圧の測定（典型的には、最高血圧値および最低血圧値の検出）が開始される。血圧の測定は、例えば、圧力センサ３２０によって検出される圧力の変化に基づいてなされる。
【００３１】
図６を参照しながら、期間ＴＰにおける変曲点圧力の検出および表示を含む処理について説明する。図６において、横軸は時間であり、縦軸は圧力センサ３２０によって検出されるカフ１０の内部空間１２の圧力（より具体的には、圧力センサ３２０の出力に基づいて制御部３５０が演算によって求めた圧力）である。なお、図６において、内部空間１２の圧力は曲線で示されているが、該圧力は、典型的には離散値である。制御部３５０は、所定のサンプリング間隔で、圧力センサ３２０からの出力（信号）をサンプリングし、サンプリングした出力に基づいてカフ１０の内部空間１２の圧力を演算する。より具体的な例を挙げると、制御部３５０は、例えば、サンプリングした出力に変換係数を乗じることによって、あるいは、ルックアップテーブルを参照することによって、該出力に対応する圧力を得る。
【００３２】
このようにして得られるカフ１０の内部空間１２の圧力の数値列は、圧力変動を示している。制御部３５０は、この圧力変動におけるピーク後の最初の変曲点圧力を特徴点の圧力として検出し、該変曲点圧力の検出に応じて、該変曲点圧力の継続した表示が開始されるように表示部３６０の表示を制御する。制御部３５０は、例えば、変曲点が検出される度に表示部３６０による変曲点圧力の継続した表示を開始し、カフ１０の内部空間１２の圧力が該変曲点圧力を下回った後に該変曲点圧力を上回ったことに応じて、カフ１０の内部空間１２の圧力をリアルタイムで表示部３６０に表示させる。第２実施形態では、制御部３５０は、例えば、カフ１０の内部空間１２の圧力変動のピークを検出し、それをトリガーとして、該ピークの後の最初の変曲点を検出するように構成されうる。
【００３３】
図７を参照しながらピークの検出方法を例示的に説明する。図７において、横軸は時間であり、縦軸は圧力センサ３２０によって検出されるカフ１０の内部空間１２の圧力（より具体的には、圧力センサ３２０の出力に基づいて制御部３５０が演算によって求めた圧力）である。図７中の菱形は、圧力センサ３２０の出力をサンプリングし、それに基づいて求めた圧力を示し、曲線は、便宜的に示されたものである。
【００３４】
図７に示された例では、制御部３５０は、最新の圧力Ｐｃと前回の圧力Ｐｐとの差分Ｐｃ−Ｐｐが２回連続して閾値ＴＨ３（正の値）を上回ったことを判断基準として、カフ１０の内部空間１２の圧力が上昇していることを検出する。図７に示された例では、時刻ｔ１１において、差分Ｐｃ−Ｐｐが２回連続して閾値ＴＨ３（正の値）を上回っている。その後も差分Ｐｃ−Ｐｐが２回連続して閾値ＴＨ３（正の値）を上回り、カフ１０の内部空間１２の圧力の上昇が続いている。
【００３５】
その後、制御部３５０は、時刻ｔ１３において、差分Ｐｃ−Ｐｐが２回連続して閾値ＴＨ４（負の値）を下回ったことを判断基準として、カフ１０の内部空間１２の圧力が下降していることを検出する。そして、２回前のサンプリング時、即ち時刻ｔ１２において圧力変動のピークがあったと判断する。このようにしてカフ１０の内部空間１２の圧力変動におけるピークが検出されうる。
【００３６】
図８を参照しながらピーク後の最初の変曲点の検出方法を例示的に説明する。図８において、横軸は時間であり、縦軸は圧力センサ３２０によって検出されるカフ１０の内部空間１２の圧力（より具体的には、圧力センサ３２０の出力に基づいて制御部３５０が演算によって求めた圧力）である。図８中の菱形は、圧力センサ３２０の出力をサンプリングし、それに基づいて求めた圧力を示し、図８中の三角は、圧力の２次微分である。
【００３７】
制御部３５０は、ピークの検出後、カフ１０の内部空間１２の圧力の二次微分を算出する。そして、制御部３５０は、カフ１０の内部空間１２の圧力の二次微分が２回連続して閾値ＴＨ５（正の値）を上回ったことを判断基準として変曲点を検出する。変曲点圧力は、この変曲点におけるカフ１０の内部空間１２の圧力である。
【００３８】
次に、図９を参照しながら本発明の第２実施形態の血圧計１の動作を説明する。ステップＳ６０１において操作部３４０の電源スイッチが操作されることによって電源がオンされ、血圧計１が起動される。次いで、ステップＳ６０２において、制御部３５０は、初期圧力値（例えば、０ｍｍＨｇ）を表示部３６０に表示させる。次いで、ステップＳ６０３において、制御部３５０は、カフ１０の内部空間１２の圧力のリアルタイム表示を開始する。つまり、制御部３５０は、圧力センサ３２０の出力に基づいてカフ１０の内部空間１２の圧力を求める度にその圧力が表示される表示部３６０の表示を更新する。
【００３９】
その後、送気球４０が操作（強く握る動作と握りを緩める動作との繰り返し）されカフ１０の内部空間１２の圧力が上昇する。ステップＳ６０４において、制御部３５０は、カフ１０の内部空間１２の圧力の上昇を監視し、該圧力が基準値を超えたことを判断基準として、送気球４０が操作されたことを検出する。
【００４０】
これに応じて、ステップＳ６０５において、制御部３５０は、バルブ３３０を閉じる。その後、ステップＳ６０６において、カフ１０の内部空間１２の圧力が所定値ＴＨより大きくなるのを待ち、カフ１０の内部空間１２の圧力が所定値ＴＨより大きくなったらステップＳ６０７に進む。
【００４１】
その後のステップＳ６０７〜Ｓ６１１は、図２における期間ＴＰにおける処理である。ステップＳ６０７では、図７および図８を参照しながら例示的に説明したように、制御部３５０は、ピークの後の最初の変曲点を検出し、ピーク後の最初の変曲点が検出されたら、ステップＳ６０８に進み、圧力のリアルタイム表示を停止する。
【００４２】
次いで、ステップ６０９では、制御部３５０は、カフ１０の内部空間１２の圧力が直前の変曲点圧力を上回ったかどうかを判定し、カフ１０の内部空間１２の圧力が直前の変曲点圧力を上回ったら、ステップＳ６１０に進み、圧力のリアルタイム表示を再開する。
【００４３】
次いで、ステップＳ６１１において、制御部３５０は、送気球４０の操作（加圧）が停止されたかどうかを判断し、送気球４０の操作が停止されたと判断したら、ステップＳ６１２に進み、そうでなければ、ステップＳ６０７に戻る。送気球４０の操作が停止されたことは、カフ１０の内部空間１２の圧力の変動に基づいて判断することができ、例えば、ピークの検出が所定期間なされなかった場合に送気球４０の操作が停止されたと判断することができる。
【００４４】
ステップＳ６０７〜Ｓ６１１では、以上のようにして、制御部３５０は、変曲点が検出される度に表示部３６０による変曲点圧力の継続した表示を開始し、カフ１０の内部空間１２の圧力が変曲点圧力を下回った後に変曲点圧力を上回ったことに応じて、カフ１０の内部空間１２の圧力をリアルタイムで表示部３６０に表示させる。したがって、医師または看護師等のユーザは、送気球の操作を停止すべきタイミングを容易に判断することができる。これにより、圧力が不十分な状態で加圧のための操作が停止されることが防止される。
【００４５】
次いで、ステップＳ６１３では、バルブ３３０を開いて、カフ１０の内部空間１２の減圧を開始する。以下は、Ｓ６１４において、血圧が測定され、ステップＳ６１５において、カフ１０の内部空間１２が十分に排気され、ステップＳ６１６において、ステップＳ６１４で測定された血圧が表示部３６０に表示される。
【符号の説明】
【００４６】
１０：カフ、内部空間１２、２０：チューブ、３０：本体、４０：送気球、３１０：流
【図１】
0006487756.tif 000002
【図２】
0006487756.tif 000003
【図３】
0006487756.tif 000004
【図４】
0006487756.tif 000005
【図５】
0006487756.tif 000006
【図６】
0006487756.tif 000007
【図７】
0006487756.tif 000008
【図８】
0006487756.tif 000009
【図９】
0006487756.tif 000010